(57)【要約】      （修正有）【課題】使用者の姿勢が変化しても身体に添った変形のできる枕を提供する。【解決手段】横長の略長方形状の胴部２には、表布地１３と裏布地１４とが袋状に縫着形成され内部に充填材１２が填入されている。一対の略台形形状の腕部３は、胴部２の長さ方向の両側に配置され、表布地１３と裏布地１４とが袋状に縫着形成され内部に充填材１２が填入されている。夫々の腕部３は台形の上底となる側辺７に対して角度が約４５度となるように台形の脚となる斜辺９を有し、側辺７を胴部２の一方の長辺に平行に揃った状態で、斜辺９を胴部の表布地１３に対して縫着し、該縫着部において折り曲げ可能とした。【選択図】図１
0003185140.tif 000002
【実用新案登録請求の範囲】
【請求項１】
表布地と裏布地とが袋状に縫着形成され内部に充填材が填入された横長の略長方形状の胴部と、
前記胴部の長さ方向の両側に配置され、表布地と裏布地とが袋状に縫着形成され内部に充填材が填入された一対の略台形形状の腕部とからなり、
前記夫々の腕部は台形の上底となる側辺に対して角度が約４５度となるように台形の脚となる斜辺を有し、前記上底となる側辺を前記胴部の一方の長辺に平行に揃った状態で、前記斜辺を胴部の表布地に対して縫着し、該縫着部において折り曲げ可能としたことを特徴とする枕。
【請求項２】
前記胴部は、下側の長辺は丸みを持たせ、腕部における台形形状としての高さよりも短辺の寸法を小さくし、
前記夫々の腕部は、台形の下底となる側辺を、台形の高さとなる寸法を減少するように内側に向かって湾曲させ、当該高さが前記胴部の短辺の寸法となるようにし、前記斜辺に接続していることを特徴とする請求項１の枕。
【考案の詳細な説明】
【技術分野】
【０００１】
本考案は、使用者の姿勢が変化しても身体に添った変形のできる枕に関するものである。
【背景技術】
【０００２】
長尺の枕として抱き枕が知られているが、そのような枕として、長さ途中の複数個所で折り曲げ自在の枕が例えば特許文献１により知られている。この枕は、使用者の所望する使用態様に折り曲げ変化させる。折り曲げる箇所は、長さ方向に延びる中心線に交差する斜線方向に配設される斜め縫合線により枕の側地の表裏を縫合し、その中に低反発機能を有する素材で形成された中材を収容し、かつ空気の抜けを遅延させる生地との組み合わせにより、形態の変化によっても保形性を保つようにしている。
【先行技術文献】
【特許文献】
【０００３】
【特許文献１】特開２０１２−７５８１６号公報
【考案の概要】
【考案が解決しようとする課題】
【０００４】
しかし、特許文献１に示す枕では、折り曲げる個所は、斜め縫合線により枕の側地の表裏を縫合しているため、折り曲げ線で曲げて中央部分に使用者の頭をのせる形態にすると当該中央部分が斜めに欠けてしまう。この結果、頭を載せる部分が小さくなり、使用者が両腕を頭の上に上げて伸びをしようとすると、枕で受け止められない。また、特許文献１に示す枕では、中材が移動して痩せてしまうことを抑止するため、生地の空気抜け特性を限定し、中材として収容される素材の反発性特性を限定する必要がある。
そこで、本考案は、折り曲げても、枕部分を確保し、かつ生地や中材の素材によらずに折り曲げ箇所の中材の痩せを回避できる枕を提供することを目的とする。
【課題を解決するための手段】
【０００５】
上記目的を達成するために、本考案の枕は、表布地と裏布地とが袋状に縫着形成され内部に充填材が填入された横長の略長方形状の胴部と、前記胴部の長さ方向の両側に配置され、表布地と裏布地とが袋状に縫着形成され内部に充填材が填入された一対の略台形形状の腕部とからなり、前記夫々の腕部は台形の上底となる側辺に対して角度が約４５度となるように台形の脚となる斜辺を有し、前記上底となる側辺を前記胴部の一方の長辺に平行に揃った状態で、前記斜辺を胴部の表布地に対して縫着し、該縫着部において折り曲げ可能としたことを特徴とする。
【考案の効果】
【０００６】
この考案によれば、縫着部において、腕部を直角に向きを変えることができ、長い抱き枕として、又はＬ字状やＵ字状の抱き枕として使用することができる。また、Ｌ字状やＵ字状にした場合でも、中央の胴部の形状は変化しないので、枕部分の痩せを抑止できる。
【図面の簡単な説明】
【０００７】
【図１】本考案に係る枕を示す図である。
【図２】本考案に係る枕の主要な構成を分割した様子を示す図である。
【図３】本考案に係る枕の使用状態を示す図である。
【考案を実施するための形態】
【０００８】
以下、本考案に係る枕の一実施の形態について、図に基づいて説明する。
図１において、枕１は胴部２を中心とし、左右の腕部３が接続された構成からなっている。胴部２及び腕部３は、表布地１３と裏布地１４とにより袋状に縫着形成され、その内部には充填材１２が填入されている。充填材１２は周知のものでよく、合成樹脂製または天然製の綿材、羊毛材、羽毛材などを使用する。
【０００９】
図２は、枕１を構成する胴部２と左右の腕部３と分割して示している。胴部２は、平面視において、長辺側寸法Ｌ１が５０ｃｍ〜７０ｃｍであり、短辺側寸法Ｗ１が４０ｃｍ〜６０ｃｍの横長の略長方形状であって、対向する長辺４、４のうち、下側の長辺４に外側に凸となる丸みを持たせている。
【００１０】
腕部３は台形における上底となる側辺６の寸法Ｌ２が４０ｃｍ〜８０ｃｍ、下底となる側辺７の寸法Ｌ３が６０ｃｍ〜１００ｃｍ、高さ寸法Ｗ２が４０ｃｍ〜６０ｃｍの略台形形状であり、一方の台形における脚となる斜辺９が、側辺６に対して角度θが約４５度となるように斜めに傾斜している。また、図示例では、胴部２の下側の長辺５は丸みを持たせ、胴部２の短辺６の寸法Ｗ２は腕部３における台形形状としての高さＷ２よりも小さくしている。側辺７は頂点１１に向けて高さＷ2を減少するように内側に向かって湾曲させ、頂点１１において斜辺９に接続しており、側辺６との距離が寸法Ｗ４と同じになるようになっている。
【００１１】
左右１対の腕部３は、斜辺９の全範囲にわたって、胴部２の表布地１３に対して縫着される。その位置は、腕部３の側辺６が胴部２の上側の長辺４と平行に揃うようにし、胴部２の下側の長辺４の両端に位置する頂点１０に対して、腕部３の頂点１１が重なる位置である。図中、表布地１３に描かれた一点鎖線の位置が、腕部３は斜辺９が縫着される位置を示している。
【００１２】
図３は、枕１の使用状態を示している。図３Ａは、胴部２と左右１対の腕部３を一直線状に延ばした状態である。左右１対の腕部３を、表布地１３に縫着された斜辺９を当該逢着部において折り返すことにより（図３Ｂのイ）、枕１は、胴部２に対して左右１対の腕部３を直角に配置された形態になる。
【００１３】
この形態においては、使用者は頭を胴部２に載せ、両腕を腕部３に載せた姿勢で休むことができる。この場合において、胴部２は、胴部２は表布地１３と裏布地１４とで袋状に縫着形成された略長方形状であって、かつ腕部３の斜辺９は表布地１３に対して縫着されており、裏布地１４をも通して縫着されるものではないため、斜辺９の下側は、充填材１２が連続的に填入されて十分に膨らんでいる。図中Ｐで示す胴部２の端の部分に対しても充填材１２が連続して填入されており、胴部２は略長方形状の全体に渡って膨満した状態が確保されている。従って、胴部２の中央に乗せた使用者の頭が、斜辺９に向けて胴部２から落下することがなく支えられ、かつ使用者が万歳をした状態になっても腕を真っ直ぐに伸ばすことができる。
【００１４】
さらに、胴部２の部分Ｐに重なる腕部３の部分Ｑは、側辺７に向けて脚９が暫時近づいているよう形状であり、表布地１３と裏布地１４の内側に充填材１２が入りにくい構造となっている。従って、図１Ｂ又は図２Ｂに示すとおり、部分Ｑにおける腕部３の厚さは、他の箇所と比べて薄いものとなっている。その結果、胴部２と左右１対の腕部３を一直線状に延ばした形態、或いは胴部２に対して左右１対の腕部３を直角に配置された形態において、胴部２の端の部分における厚さの減少を補って、枕１が括れたような形態となることがない。
【００１５】
このように、本実施例の枕１によれば、縫着部において、腕部３を直角に向きを変えることができ、長い抱き枕として、又はＬ字状やＵ字状の抱き枕として使用することができる。また、Ｌ字状やＵ字状にした場合でも、胴部２の形状は変化しないので、枕部分を確保できる。図示例のように、丸みを持たせたり、へこませたりして、体に添いやすい形状にすることができる。
【符号の説明】
【００１６】
１    枕
２    胴部
３    腕部
【図１】
0003185140.tif 000003
【図２】
0003185140.tif 000004
【図３】
0003185140.tif 000005